【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
第一のアーキテクチャのデバイスドライバーがインストールされている情報処理装置であって、
前記第一のアーキテクチャとは異なる第二のアーキテクチャのデバイスドライバーをインストールする際に、前記第二のアーキテクチャのデバイスドライバーが対応している周辺装置に対応した前記第一のアーキテクチャのデバイスドライバーを用いているキューを検索する検索手段と、
前記検索手段による検索により前記キューが見つかった場合、前記キューに対して設定されている所定の設定情報を前記第二のアーキテクチャのデバイスドライバーに関連付ける手段と
を有することを特徴とする情報処理装置。
【請求項２】
前記関連付けを行う際に、前記キューの設定情報を前記第一のアーキテクチャのデバイスドライバーに対応した形式から前記第二のアーキテクチャのデバイスドライバーに対応した形式に変換することを特徴とする請求項１に記載の情報処理装置。
【請求項３】
前記関連付けは、前記キューの設定情報を前記第二のアーキテクチャのデバイスドライバーのキューへと関連付けることにより行われることを特徴とする請求項１に記載の情報処理装置。
【請求項４】
前記第二のアーキテクチャのデバイスドライバーが対応している周辺装置に対応した前記第一のアーキテクチャのデバイスドライバーを用いている前記キューごとに、前記第二のアーキテクチャのデバイスドライバーを用いるキューへの置き替えと、前記キューをそのままとしておくことと、前記キューの削除とを含む処理のうちからいずれを適用するかをユーザーにより選択できる第一のユーザーインターフェイスを更に有し、
前記検索手段は、前記第一のユーザーインターフェイスにおいて前記置き換えが選択されたキューを検索することを特徴とする請求項１または２に記載の情報処理装置。
【請求項５】
前記第一のユーザーインターフェイスにおいて前記キューをそのままとしておくことが選択されたキューについては、該キューはそのまま変更しないことを特徴とする請求項４に記載の情報処理装置。
【請求項６】
前記第一のユーザーインターフェイスにおいて前記キューの削除が選択されたキューを削除することを特徴とする請求項４又は５に記載の情報処理装置。
【請求項７】
前記第二のアーキテクチャのデバイスドライバーをインストールする際に、新たなキューの追加と、既存のデバイスドライバーの更新と、新たなキューの追加および既存のデバイスドライバーの更新と、を含む処理のうちからいずれかをユーザーにより選択できる第二のユーザーインターフェイスを更に有し、
前記第二のユーザーインターフェイスにおいて、前記新たなキューの追加および前記既存のデバイスドライバーの更新を含む処理が選択された場合に、前記第一のユーザーインターフェイスは選択を受け付けることを特徴とする請求項４乃至６のいずれか一項に記載の情報処理装置。
【請求項８】
前記第一のユーザーインターフェイスにおいて前記置き換えが選択されたキューについては、前記第二のアーキテクチャのデバイスドライバーのインストールに応じて、前記第二のアーキテクチャのデバイスドライバーを用い、かつ前記選択されたキューと同じ名称の新たなキューを作成して、選択された前記キューの設定情報を前記新たなキューの設定情報として保存することで、キューが置き換えられることを特徴とする請求項４に記載の情報処理装置。
【請求項９】
前記選択されたキューの設定情報に含まれる印刷設定の少なくとも一部は、前記第一のアーキテクチャに従う形式の情報から、前記第二のアーキテクチャに従う形式へと前記デバイスドライバーにより変換され、前記新たなキューの設定情報として保存されることを特徴とする請求項８に記載の情報処理装置。
【請求項１０】
前記新たなキューの設定情報に含まれるデバイス設定の少なくとも一部は、前記第二のアーキテクチャのデバイスドライバーにより制御される周辺装置から取得されることを特徴とする請求項８又は９に記載の情報処理装置。
【請求項１１】
前記第一のアーキテクチャに従う形式はウインドウズ（登録商標）のＤＥＶＭＯＤＥであり、前記第二のアーキテクチャに従う形式はＰｒｉｎｔＴｉｃｋｅｔであることを特徴とする請求項９に記載の情報処理装置。
【請求項１２】
前記キューの置き換えまたは削除により、いずれのキューにも用いられないデバイスドライバーがある場合には、当該デバイスドライバーを削除対象とすることを特徴とする請求項６に記載の情報処理装置。
【請求項１３】
前記キューの置き換えまたは削除により、いずれのキューにも用いられないデバイスドライバーであっても、当該デバイスドライバーが、前記情報処理装置に新たにインストールできないデバイスドライバーである場合には、当該デバイスドライバーを削除対象から除外することを特徴とする請求項１２に記載の情報処理装置。
【請求項１４】
前記削除対象となるデバイスドライバーを削除することを特徴とする請求項１２又は１３に記載の情報処理装置。
【請求項１５】
第一のアーキテクチャのデバイスドライバーがインストールされている情報処理装置における情報処理方法であって、
検索手段が、前記第一のアーキテクチャとは異なる第二のアーキテクチャのデバイスドライバーをインストールする際に、前記第二のアーキテクチャのデバイスドライバーが対応している周辺装置に対応した前記第一のアーキテクチャのデバイスドライバーを用いているキューを検索し、
前記検索手段による検索により前記キューが見つかった場合、前記キューに対して設定されている所定の設定情報を前記第二のアーキテクチャのデバイスドライバーに関連付けることを特徴とする情報処理方法。
【請求項１６】
第一のアーキテクチャのデバイスドライバーがインストールされているコンピュータを、
前記第一のアーキテクチャとは異なる第二のアーキテクチャのデバイスドライバーをインストールする際に、前記第二のアーキテクチャのデバイスドライバーが対応している周辺装置に対応した前記第一のアーキテクチャのデバイスドライバーを用いているキューを検索する検索手段と、
前記検索手段による検索により前記キューが見つかった場合、前記キューに対して設定されている所定の設定情報を前記第二のアーキテクチャのデバイスドライバーに関連付ける手段と
して機能させるためのプログラム。
【手続補正２】
【補正対象書類名】明細書
【補正対象項目名】発明の名称
【補正方法】変更
【補正の内容】
【発明の名称】情報処理装置、情報処理方法およびプログラム
【手続補正３】
【補正対象書類名】明細書
【補正対象項目名】０００９
【補正方法】変更
【補正の内容】
【０００９】
本発明の第一の側面によれば、第一のアーキテクチャのデバイスドライバーがインストールされている情報処理装置であって、
前記第一のアーキテクチャとは異なる第二のアーキテクチャのデバイスドライバーをインストールする際に、前記第二のアーキテクチャのデバイスドライバーが対応している周辺装置に対応した前記第一のアーキテクチャのデバイスドライバーを用いているキューを検索する検索手段と、
前記検索手段による検索により前記キューが見つかった場合、前記キューに対して設定されている所定の設定情報を前記第二のアーキテクチャのデバイスドライバーに関連付ける手段と
を有することを特徴とする情報処理装置が提供される。